(57)【特許請求の範囲】
【請求項１】
閉塞方向に付勢された引戸に取り付けられる制動装置本体と、この制動装置本体から突出する軸体の突出部に取り付けられた歯車とを備え、前記制動装置本体の内部に形成した流体室には、前記軸体に取り付けられて回転する回転体が収納されるとともにこの回転体の回りを囲む粘性流体が充填され、前記歯車は、軸体の突出部に一方クラッチを介して所定の正方向への回転動作のみが軸体と連動するように取り付けられ、前記歯車は、引戸が閉塞方向に移動するときに、固定側にほぼ水平に設けられる制動用ラックと噛み合って前記所定の正方向へ回転するとともにその回転動作を前記回転体に伝達して回転体を回転させて、引戸の閉塞方向への移動動作を回転体に対する粘性流体の粘性抵抗により制動しながら行なうように構成した引戸の制動装置であって、
前記流体室の内部には、前記軸体の突出部側に位置する面に近接して前記回転体が配置され、他方の面側には、切欠部を有するガイド板が前記回転体と所定間隔で対向して回転するように取り付けられるとともに、スリット部を有する調整板が設けられ、
前記ガイド板の切欠部と調整板のスリット部とが噛み合うことにより、前記調整板は、スリット部の一端側における一方の端部側がガイド板の回転体側に粘性流体を介して回転体に対向するように配置されるとともに、スリット部の他端側における他方の端部側がガイド板の回転体に対向する面と反対の面側に配置され、
前記ガイド板に、このガイド板と一体的に形成された調整軸を前記軸体の突出部側と反対側に突設し、この調整軸は、前記軸体の突出部側と反対側において前記制動装置本体に回転可能にかつ外部から操作可能に取り付けられ、
前記ガイド板を調整軸によって回転させることにより、ガイド板の回転体に対向する面側に位置する調整板の領域を増減させて、回転体に対する粘性流体の粘性抵抗を調整するように構成した
ことを特徴とする引戸の制動装置。
【請求項２】
閉塞方向に付勢された引戸に取り付けられる制動装置本体と、この制動装置本体から突出する軸体の突出部に取り付けられた歯車とを備え、前記制動装置本体の内部に形成した流体室には、前記軸体に取り付けられて回転する回転体が収納されるとともにこの回転体の回りを囲む粘性流体が充填され、前記歯車は、軸体の突出部に一方クラッチを介して所定の正方向への回転動作のみが軸体と連動するように取り付けられ、前記歯車は、引戸が閉塞方向に移動するときに、固定側にほぼ水平に設けられる制動用ラックと噛み合って前記所定の正方向へ回転するとともにその回転動作を前記回転体に伝達して回転体を回転させて、引戸の閉塞方向への移動動作を回転体に対する粘性流体の粘性抵抗により制動しながら行なうように構成した引戸の制動装置であって、
前記流体室の内部には、前記軸体と直交する一方の面に近接して前記回転体が配置され、他方の面側には、切欠部を有するガイド板が前記回転体と所定間隔で対向するように取り付けられるとともに、スリット部を有する調整板が回転可能に設けられ、
前記ガイド板の切欠部と調整板のスリット部とが噛み合うことにより、前記調整板は、スリット部の一端側における一方の端部側がガイド板の回転体側に粘性流体を介して回転体に対向するように配置されるとともに、スリット部の他端側における他方の端部側がガイド板の回転体に対向する面と反対の面側に配置され、
前記制動装置本体には、前記調整板に接触してこの調整板を摩擦によって回転させる摩擦面を備えた調整軸を外部から操作可能に設け、
前記調整板を調整軸によって回転させることにより、ガイド板の回転体に対向する面側に位置する調整板の領域を増減させて、回転体に対する粘性流体の粘性抵抗を調整するように構成した
ことを特徴とする引戸の制動装置。
【発明の詳細な説明】
【０００１】
【発明の属する技術分野】
本発明は、引戸の制動装置に関するものであり、特に制動力を調整することができる引戸の制動装置に関するものである。
【０００２】
【従来の技術】
従来、自閉式の引戸の閉塞動作を制動するための制動装置としては、引戸側に取り付けられる油の粘性抵抗を利用した制動装置本体と、制動装置本体から水平に突出する軸体に設けた歯車とを備え、前記歯車を上枠側に設けた制動用ラックに噛み合わせて、引戸の閉動時に制動用ラックと歯車の噛み合わせにより軸体を回転させることによって引戸に制動力を与えるようにした制動装置が知られているが、そのような制動装置においては、通常、制動力を調整することは困難である。そこで、図１７に示すような引戸の制動力を調整することが可能な制動装置が提案されている。この制動装置においては、制動装置本体１０１と、制動装置本体１０１から突出した軸体１０２に取り付けられた歯車１０３とを備え、制動装置本体１０１の内部には、軸体１０２に取り付けられて回転する回転ドラム１０４が収納されるとともに粘性流体が充填され、歯車１０３は軸体１０２に一方クラッチ１０５を介して所定の正方向への回転動作のみが軸体１０２と連動するように取り付けられており、歯車１０３は、引戸を閉塞方向に移動するときに、上枠側に設けられる制動用ラックと噛み合って所定の正方向へ回転するとともにその回転動作を回転ドラム１０４に伝達して回転ドラム１０４を回転させて、引戸の閉塞動作を回転ドラム１０４に対する粘性流体の粘性抵抗により制動しながら行なうように構成し、回転ドラム１０４に対する粘性流体の粘性抵抗を調整すべく、制動装置本体１０１の内部に粘性流体を介して回転ドラム１０４に嵌合させる可動ドラム１０６を摺動自在に設けるとともに、可動ドラム１０６を回転ドラム１０４の軸方向に摺動させる調整ねじ１０７が設けられている（例えば特許文献１参照）。この制動装置によれば、引戸の閉塞動作の制動力を調整することが可能である。
【０００３】
【特許文献１】
特許第３１２４８９８号公報
【０００４】
【発明が解決しようとする課題】
しかしながら、前記制動装置は、回転ドラム１０４に可動ドラム１０６を嵌合して摺動させるものであるため、回転ドラム１０４と可動ドラム１０６との摺動面を精度よく加工する必要があり、製造コストが高くなるおそれがあるという問題がある。
【０００５】
そこで、本発明はこのような課題を解決するもので、安価なコストで、制動力を簡単に調整することができるとともに薄型化されてコンパクトな引戸の制動装置を提供することを目的とするものである。
【０００６】
【課題を解決するための手段】
この課題を解決するために本発明の第１の引戸の制動装置は、閉塞方向に付勢された引戸に取り付けられる制動装置本体と、この制動装置本体から突出する軸体の突出部に取り付けられた歯車とを備え、前記制動装置本体の内部に形成した流体室には、前記軸体に取り付けられて回転する回転体が収納されるとともにこの回転体の回りを囲む粘性流体が充填され、前記歯車は、軸体の突出部に一方クラッチを介して所定の正方向への回転動作のみが軸体と連動するように取り付けられ、前記歯車は、引戸が閉塞方向に移動するときに、固定側にほぼ水平に設けられる制動用ラックと噛み合って前記所定の正方向へ回転するとともにその回転動作を前記回転体に伝達して回転体を回転させて、引戸の閉塞方向への移動動作を回転体に対する粘性流体の粘性抵抗により制動しながら行なうように構成した引戸の制動装置であって、前記流体室の内部には、前記軸体の突出部側に位置する面に近接して前記回転体が配置され、他方の面側には、切欠部を有するガイド板が前記回転体と所定間隔で対向して回転するように取り付けられるとともに、スリット部を有する調整板が設けられ、前記ガイド板の切欠部と調整板のスリット部とが噛み合うことにより、前記調整板は、スリット部の一端側における一方の端部側がガイド板の回転体側に粘性流体を介して回転体に対向するように配置されるとともに、スリット部の他端側における他方の端部側がガイド板の回転体に対向する面と反対の面側に配置され、前記ガイド板に、このガイド板と一体的に形成された調整軸を前記軸体の突出部側と反対側に突設し、この調整軸は、前記軸体の突出部側と反対側において前記制動装置本体に回転可能にかつ外部から操作可能に取り付けられ、前記ガイド板を調整軸によって回転させることにより、ガイド板の回転体に対向する面側に位置する調整板の領域を増減させて、回転体に対する粘性流体の粘性抵抗を調整するように構成したことを特徴とするものである。
【０００７】
前記構成によれば、切欠部を有するガイド板を回転体と所定間隔で対向して回転するように取り付けるとともに、スリット部を有する調整板を設け、ガイド板の切欠部と調整板のスリット部とを噛み合せることにより、調整板を、スリット部の一端側における一方の端部側がガイド板の回転体側に粘性流体を介して回転体に対向するように配置するとともに、スリット部の他端側における他方の端部側がガイド板の回転体に対向する面と反対の面側に配置し、ガイド板をガイド板と一体的に形成された調整軸によって回転させることにより、ガイド板の回転体に対向する面側に位置する調整板の領域を増減させて、回転体に対する粘性流体の粘性抵抗を調整するように構成したので、ガイド板の回転体に対向する面側に位置する調整板の領域、つまりガイド板の回転体に対向する面側における調整板の存在部分の大きさを増減させることにより、回転体に対する粘性流体の粘性抵抗を簡単に調整することができる。つまり、調整板がガイド板の回転体に対向する面側に位置する箇所では、調整板はガイド板に比べて回転体との距離が小さいため、調整板のこの領域を増やせば、回転体が受ける粘性抵抗を大きくすることができ、一方、調整板がガイド板の回転体に対向する面と反対の面側に位置する箇所では、ガイド板が粘性流体を介して回転体に対向することになるが、ガイド板は、調整板の前記領域よりも回転体との距離が大きい位置に取り付けられているため、この箇所におけるガイド板の領域を増やせば、回転体が受ける粘性抵抗を小さくすることができる。したがって、ガイド板を回転させることにより、引戸の閉塞動作における制動力（自閉速度）を簡単に調整することができる。
【０００８】
また、調整板およびガイド板は、粘性流体を介して回転体に対向するように設けたので、調整板およびガイド板が回転体と非接触状態になっていて、回転体との間には摺動部がないため、精度のよい加工を必要とする摺動部を有する従来の制動装置と比べると、安価なコストで制動力を調整することができる制動装置を得ることができる。さらに、調整板およびガイド板が回転体と非接触状態になっているため、回転体の形状には制限がなく、ディスク形状、ドラム形状などの任意形状にすることができる。しかも、ガイド板を回転させて制動力を調整するようにしたので、従来の制動装置と比べると、薄型化することが可能であって、コンパクトにすることができる。
【０００９】
また、本発明の第２の引戸の制動装置は、閉塞方向に付勢された引戸に取り付けられる制動装置本体と、この制動装置本体から突出する軸体の突出部に取り付けられた歯車とを備え、前記制動装置本体の内部に形成した流体室には、前記軸体に取り付けられて回転する回転体が収納されるとともにこの回転体の回りを囲む粘性流体が充填され、前記歯車は、軸体の突出部に一方クラッチを介して所定の正方向への回転動作のみが軸体と連動するように取り付けられ、前記歯車は、引戸が閉塞方向に移動するときに、固定側にほぼ水平に設けられる制動用ラックと噛み合って前記所定の正方向へ回転するとともにその回転動作を前記回転体に伝達して回転体を回転させて、引戸の閉塞方向への移動動作を回転体に対する粘性流体の粘性抵抗により制動しながら行なうように構成した引戸の制動装置であって、前記流体室の内部には、前記軸体と直交する一方の面に近接して前記回転体が配置され、他方の面側には、切欠部を有するガイド板が前記回転体と所定間隔で対向するように取り付けられるとともに、スリット部を有する調整板が回転可能に設けられ、前記ガイド板の切欠部と調整板のスリット部とが噛み合うことにより、前記調整板は、スリット部の一端側における一方の端部側がガイド板の回転体側に粘性流体を介して回転体に対向するように配置されるとともに、スリット部の他端側における他方の端部側がガイド板の回転体に対向する面と反対の面側に配置され、前記制動装置本体には、前記調整板に接触してこの調整板を摩擦によって回転させる摩擦面を備えた調整軸を外部から操作可能に設け、前記調整板を調整軸によって回転させることにより、ガイド板の回転体に対向する面側に位置する調整板の領域を増減させて、回転体に対する粘性流体の粘性抵抗を調整するように構成したことを特徴とするものである。
【００１０】
前記構成によれば、切欠部を有するガイド板を回転体と所定間隔で対向するように取り付けるとともに、スリット部を有する調整板を回転可能に設け、ガイド板の切欠部と調整板のスリット部とを噛み合せることにより、調整板を、スリット部の一端側における一方の端部側がガイド板の回転体側に粘性流体を介して回転体に対向するように配置するとともに、スリット部の他端側における他方の端部側がガイド板の回転体に対向する面と反対の面側に配置し、調整板を摩擦面を備えた調整軸によって回転させることにより、ガイド板の回転体に対向する面側に位置する調整板の領域を増減させて、回転体に対する粘性流体の粘性抵抗を調整するように構成したので、ガイド板の回転体に対向する面側に位置する調整板の領域を増減させることにより、回転体に対する粘性流体の粘性抵抗を簡単に調整することができる。したがって、調整板を回転させることにより、引戸の閉塞動作における制動力を簡単に調整することができる。
【００１１】
また、調整板およびガイド板は、粘性流体を介して回転体に対向するように設けたので、調整板およびガイド板が回転体と非接触状態になっていて、回転体との間には摺動部がないため、精度のよい加工を必要とする摺動部を有する従来の制動装置と比べると、安価なコストで制動力を調整することができる制動装置を得ることができる。さらに、調整板およびガイド板が回転体と非接触状態になっているため、回転体の形状には制限がなく、ディスク形状、ドラム形状などの任意形状にすることができる。しかも、調整板を回転させて制動力を調整するようにしたので、従来の制動装置と比べると、薄型化することが可能であって、コンパクトにすることができる。
【００１２】
【発明の実施の形態】
以下、本発明の実施の形態における制動装置を取り付けた引戸装置について、図面に基づいて詳細に説明する。
【００１３】
（第１の実施の形態）
図１〜図９に示す第１の実施の形態について説明すると、図１、図２に示すように、１は建物の出入り口部２を開閉するために設けられた引戸で、この引戸１は出入り口部２の上方に水平に設けられたレール３に沿って出入り口部２を閉じた状態と開いた状態との間でスライドするように構成されている。つまり、引戸１の上端には前記レール３上に転動するローラ４を備えたハンガー５が引戸１の戸先側と戸尻側とにそれぞれ取り付けられ、レール３に沿ってスライドする構成となっている。６は引戸１を閉じた側での前記レール３の端部に取り付けられた自閉装置で、引戸１はこの自閉装置６のばね力により自動的に閉じられるようになっている。
【００１４】
７は２つのハンガー５のうち、戸尻側に位置するハンガー５に取り付けられた一定の制動力をもつ制動装置本体であって、この制動装置本体７にはビス９によりブラケット８が取り付けられ、制動装置本体７はブラケット８を介してビス９により前記ハンガー５に取り付けられている。そして、前記レール３の上方には、引戸１が完全に閉じる手前の位置から完全に閉じた位置との間の範囲で前記レール３と平行に下向きの歯面を有する水平な長尺状の制動用ラック１１が取り付けられている。
【００１５】
前記制動装置本体７は、図３〜図７に示すように、粘性流体を充填する流体室１２が形成されているケース本体１３と、このケース本体１３に取り付けられる蓋体１４と、軸体１５に取り付けられて流体室１２に収納される回転体１６と、流体室１２に回転可能に取り付けられる円形のガイド板１７と、流体室１２に設けられる円形の調整板１８と、前記ガイド板１７と一体に形成された調整軸１９とを備えている。
【００１６】
そして、前記軸体１５の一端は、制動装置本体７から外方に突出して、その突出部１５ａには歯車２０が取り付けられている。
前記ケース本体１３には、円形の流体室１２が形成されるとともに、蓋体１４がビス９により取り付けられて流体室１２が蓋体１４により密閉され、この流体室１２には粘性流体（図示せず）が充填されるとともに、前記軸体１５に取り付けられて回転するディスク状の回転体１６が蓋体１４と近接して極く僅かな間隔になるように収納されており、この回転体１６は粘性流体にその周りが囲まれた状態で回転するようになっている。
【００１７】
前記軸体１５は蓋体１４側に設けた軸受２１により支持されているとともに、軸体１５の一端は、ケース本体１３から蓋体１４を介して外方に突出し、この突出部１５ａには一方クラッチ２２を介して前記歯車２０が取り付けられており、軸体１５の一端側先端部にはＥ型止め輪２３を取り付けて、軸体１５からの一方クラッチ２２および歯車２０の抜け外れを防止している。
【００１８】
つまり、歯車２０は、一方クラッチ２２を介して所定の正方向への回転動作のみが軸体１５と連動し、逆方向への回転動作は軸体１５と連動しないように、軸体１５に取り付けられており、前記歯車２０は、引戸１が閉じるときに、前記制動用ラック１１に噛み合って前記所定の正方向へ回転するとともに、その回転動作を軸体１５を介して回転体１６に伝達して回転体１６を回転させるように構成されている。これにより、引戸１の閉塞動作は、回転体１６に対する粘性流体の粘性抵抗により一定の制動力で制動されながら行なわれることになる。
【００１９】
一方、引戸１を開くときにも、開き始めにおいては前記歯車２０が制動用ラック１１と噛み合って前記所定の正方向と逆方向に回転するが、その回転動作は軸体１５および回転体１６には伝達されず、引戸１は粘性流体の粘性抵抗を受けることなく開かれることになる。
【００２０】
そして、流体室１２には、前記蓋体１４に対向する回転体１６の面と反対の面側、つまり軸体１５の突出部１５ａ側に位置する面側と反対の面側に、前記ガイド板１７と所定厚みの前記調整板１８が設けられている。
【００２１】
前記ガイド板１７は、真鍮、アルミニウムなどの金属材料からなり、中心部には回転体１６側に突出した軸受部２４と流体室１２の底部２５側に突出した調整軸１９が形成されている。また、前記ガイド板１７には、中心部側から所定角度αで外周に開口した扇状の切欠部２７が形成されるとともに、前記調整軸１９と同芯上に形成されてその両端部２８ａ、２８ｂが切欠部２７の近傍に位置する円弧状のガイド孔２８が設けられている。このガイド板１７は、前記調整軸１９が流体室１２の底部２５の中心部に形成された軸孔２９に嵌入され、粘性流体を介して回転体１６と所定間隔でほぼ平行に対向するとともに、回転可能に取り付けられている。また、調整軸１９の先端にはドライバーなどでこの調整軸１９を回転させる−状溝部１９ａが形成され、外部から調整軸１９を回転させることによりガイド板１７が回転するようになっている。また、前記軸受部２４には、軸体１５の他端側（突出部１５ａと反対側）の先端部が軸受３１を介して支持されている。
【００２２】
また、前記調整板１８は、ゴムなどの可撓性材料からなり、中心部には挿入孔３２が形成されてドーナツ状の形状を有するとともに、中心から外周に至るスリット部３３が形成され、スリット部３３の一端側における一方の端部１８ａ近傍と他端側における他方の端部１８ｂ近傍には、それぞれ係止孔３４、３５が形成されている。
【００２３】
また、流体室１２の底部２５には、前記ガイド板１７に形成された円弧状のガイド孔２８に対応する円周上に僅かな間隔をもって長さが異なる２つの係止ピン３６、３７がガイド板１７側に向けて突設されており、一方の長い係止ピン３６はガイド孔２８に嵌入されてガイド孔２８から前記回転体１６側に突出し、他方の短い係止ピン３７の先端部はガイド板１７の底部２５側の面と僅かな間隔で近接するように突出している。
【００２４】
そして、前記ガイド板１７の切欠部２７と、調整板１８のスリット部３３とが噛み合わされている。つまり、調整板１８は、その挿入孔３２が前記軸受部２４に嵌合され、また、係止孔３４が係止ピン３６に係止されて、スリット部３３の一端側における一方の端部１８ａ側がガイド板１７の回転体１６側に接して粘性流体を介して回転体１６に対向するように配置されるとともに、係止孔３５が係止ピン３７に係止されて、スリット部３３の他端側における他方の端部１８ｂ側がガイド板１７の回転体１６に対向する面と反対の面側に配置されている。
【００２５】
そして、ガイド板１７に形成された調整軸１９の−状溝部１９ａにドライバーなどを嵌入させて調整軸１９を回転させてガイド板１７を所定方向に回転させることにより、ガイド板１７の回転体１６に対向する面側に位置する調整板１８の領域つまり調整板１８の回転体１６に対向する領域を増減させて、回転体１６に対する粘性流体の粘性抵抗を調整するように構成されている。つまり、ガイド板１７を所定方向、例えばガイド板１７を流体室１２の底部２５側から見て反時計回りに回転させることにより、調整板１８の回転体１６に対向する領域を増やせば、回転体１６に対する粘性流体の粘性抵抗が大きくなって、引戸１の閉塞方向における制動力が大きくなる。一方、調整板１８を前記所定方向と逆方向に回転させることにより、調整板１８の回転体１６に対向する領域を減らせば、前記粘性抵抗が小さくなって、引戸１の閉動方向における制動力が小さくなる。
【００２６】
そして、この制動装置においては、調整板１８による制動力の調整は、図８に示すような調整板１８の殆どが回転体１６に対向するように位置させた状態と、図９に示すような調整板１８の大部分がガイド板１７の回転体１６と対向する面側と反対側の面側に位置させた状態との間で行なわれる。つまり、図８に示す状態では、ガイド板１７の切欠部２７の一端側におけるガイド孔２８の一方の端部２８ａが係止ピン３６に当接して、ガイド板１７の前記所定方向への回転が規制され、この状態で最も大きな制動力が得られるように調整され、一方、図９に示す状態では、ガイド板１７の切欠部２７の他端側におけるガイド孔２８の他方の端部２８ｂが係止ピン３６に当接して、ガイド板１７の前記所定方向と逆方向への回転が規制され、この状態で最も小さな制動力が得られるように調整される。
【００２７】
前記構成によれば、調整軸１９を前記所定方向（前記反時計回り）に回転させることにより、ガイド板１７を所定方向に回転させることによって、粘性流体を介して回転体１６に対向する調整板１８の領域を増やして、回転体１６に対する粘性流体の粘性抵抗を大きくし、一方、調整軸１９を時計回りに回転させてガイド板１７を前記所定方向と反対方向に回転させることによって、粘性流体を介して回転体１６と対向する調整板１８の領域を減らして、回転体１６に対する粘性流体の粘性抵抗を小さくさせることができ、これにより、引戸１の閉塞動作の制動力を簡単に調整することができる。また、ガイド板１７の回転をガイド孔２８と係止ピン３６により規制するようにしたので、最も大きな制動力と最も小さな制動力とが簡単に設定される。また、調整板１８およびガイド板１７を粘性流体を介して回転体１６と対向するように設けたので、調整板１８およびガイド板１７が回転体１６と非接触状態になっていて、回転体１６との間には摺動部がないため、精度のよい加工を必要とする摺動部を有する従来の制動装置と比べると、安価なコストで制動力を調整することができる制動装置を得ることができる。しかも、ガイド板１７を回転させて制動力を調整するようにしたので、従来の制動装置と比べると、薄型化することが可能であって、コンパクトにすることができる。
【００２８】
（第２の実施の形態）
次に、本発明の第２の実施の形態について、図１０〜図１６に基づいて説明する。なお、第１の実施の形態と同様の機能を有するものについては、その一部のものは符号のみを付し、その説明は省略する。
【００２９】
この実施の形態における制動装置においても、制動装置本体７は、第１の実施の形態と同様に、図１、図２に示すようにブラケット８を介してビス９により戸尻側に位置するハンガー５に取り付けられている。
【００３０】
前記制動装置本体７は、図１０〜図１４に示すように、粘性流体を充填する流体室１２が形成されているケース本体１３と、このケース本体１３に取り付けられる蓋体１４と、軸体１５に取り付けられて流体室１２に収納される回転体１６と、流体室１２に取り付けられる円形のガイド板１７と、流体室１２に回転可能に設けられる円形の調整板１８と、ケース本体１３の一側側に形成された調整軸取付け部５２と、調整軸取付け部５２に取り付けられて調整板１８を回転させる調整軸１９とを備えている。そして、前記軸体１５の一端は、制動装置本体７から外方に突出して、その突出部１５ａには歯車２０が取り付けられている。
【００３１】
そして、この制動装置本体７においても、ケース本体１３に形成された流体室１２には、前記軸体１５に取り付けられて回転するディスク状の回転体１６が蓋体１４と近接して極く僅かな間隔になるように収納されている。また、前記軸体１５は蓋体１４側に設けた軸受２１により支持されているとともに、軸体１５の一端は、ケース本体１３から蓋体１４を介して外方に突出し、この突出部１５ａには一方クラッチ２２を介して前記歯車２０が取り付けられており、軸体１５の一端側先端部にはＥ型止め輪２３を取り付けて、軸体１５からの一方クラッチ２２および歯車２０の抜け外れを防止している。
【００３２】
また、前記ケース本体１３に形成された流体室１２には、その底部２５の中央に前記軸体１５の他端側（回転体１６側）に突出した凸部４４が突設され、この凸部４４には前記軸体１５の他端側先端部が軸受３１により支持されている。
【００３３】
そして、流体室１２には、前記回転体１６の歯車２０側の面と反対の面側、つまり蓋体１４に対向する回転体１６の面と反対の面側に、前記ガイド板１７と所定厚みの前記調整板１８が設けられている。
【００３４】
前記ガイド板１７は、合成樹脂などからなり、中心部に挿入孔４６が形成されてドーナツ状の形状を有するとともに、中心から所定角度αで外周に開口した扇状の切欠部２７が形成されている。このガイド板１７は、挿入孔４６に前記凸部４４が嵌合されるとともに、外周部が流体室１２の内壁に沿って前記回転体１６と所定間隔となるように形成された溝部４８に嵌合されて、粘性流体を介して回転体１６とほぼ平行に対向するように取り付けられている。また、このガイド板１７は、前記調整軸１９を設けた箇所の近傍に切欠部２７が位置するように配置されている。つまり、切欠部２７の一端側における一方の端部側１７ａと、他端側における他方の端部１７ｂ側とが調整軸１９を設けた箇所の近傍に位置している。
【００３５】
また、前記調整板１８は、ゴムなどの可撓性材料からなり、中心部に挿入孔３２が形成されてドーナツ状の形状を有するとともに、中心から外周に至るスリット部３３が形成されている。この調整板１８は、挿入孔３２が前記凸部４４に嵌合されて、この凸部４４を軸として回転可能に取り付けられている。そして、前記ガイド板１７の切欠部２７と、この調整板１８のスリット部３３とを噛み合わせることにより、この調整板１８は、スリット部３３の一端側における一方の端部１８ａ側がガイド板１７の回転体１６側に接して粘性流体を介して回転体１６に対向するように配置されるとともに、スリット部３３の他端側における他方の端部１８ｂ側がガイド板１７の回転体１６に対向する面と反対の面側に配置されている。
【００３６】
そして、この調整板１８を回転させることにより、回転体１６に対向するガイド板１７の面側に位置する調整板１８の領域つまり調整板１８の回転体１６に対向する領域を増減させて、回転体１６に対する粘性流体の粘性抵抗を調整するように構成されている。つまり、調整板１８を所定方向に回転させることにより、調整板１８の回転体１６に対向する領域を増やせば、回転体１６に対する粘性流体の粘性抵抗が大きくなって、引戸１の閉塞方向における制動力が大きくなる。一方、調整板１８を前記所定方向と逆方向に回転させることにより、調整板１８の回転体１６に対向する領域を減らせば、前記粘性抵抗が小さくなって、引戸１の閉動方向における制動力が小さくなる。
【００３７】
そして、前記ケース本体１３の一側側には、ケース本体１３をその一側側に延出させて延出部１３ａを形成するとともに、この延出部１３ａには前記調整軸取付け部５２が形成されており、この調整軸取付け部５２には、前記調整板１８を回転させる前記調整軸１９が設けられている。
【００３８】
この調整軸１９は、一端側に軸体部５３を備え、この軸体部５３の外周にはローレット加工などを施して表面を粗面に形成した摩擦面を有する摩擦体５４が形成されており、他端側には、ねじ軸部５５と、このねじ軸部５５に螺合されたガイドリング５６と、止め輪５７とを備え、他端側先端部には−状溝部１９ａが形成されている。
【００３９】
この調整軸１９は、軸体部５３の一端側先端部が流体室１２内に形成された凸部４４に嵌入し、摩擦体５４が流体室１２において前記ガイド板１７の切欠部２７が配置された箇所の近傍に位置するとともに、−状溝部１９ａが外部に露出するように、調整軸取付け部５２に取り付けられており、摩擦体５４はガイド板１７の切欠部２７が配置された箇所の近傍において、調整板１８上に接触している。また、前記ガイドリング５６には、略半球状の窪み孔５６ａが形成され、この窪み孔５６ａには鋼鉄製の球体５９が嵌合されており、前記調整軸取付け部５２に形成された嵌合孔５２ａに球体押え蓋６０が嵌合されるとともに、前記ねじ軸部５５に沿うように球体押え蓋６０に設けた溝部６０ａに前記球体５９が嵌合されており、ガイドリング５６が回転防止された状態でねじ軸部５５に沿って移動可能になっている。
【００４０】
これにより、ドライバーなどを−状溝部１９ａに嵌入させて調整軸１９を右回りに回転させると、ねじ軸部５５が右回りに回転されるとともに、ガイドリング５６が回転防止された状態で止め輪５７側に移動し、調整軸１９は調整軸取付け部５２に対して相対的に移動することなく所定位置に維持された状態で右回りに回転され、それに伴って調整板１８に接触している摩擦体５４が右回りに回転される。これにより、調整板１８は、回転体１６に対向する面と反対側のガイド板１７の面側から、回転体に対向するガイド板の面側に回転して、回転体１６に対向する調整板１８の領域が増えることになる。一方、前記調整軸１９を左回りに回転させると、前記の場合とは逆に回転体１６に対向する調整板１８の領域が減ることになる。
【００４１】
なお、前記調整軸１９を右回りに回転させることにより、ガイドリング５６が回転防止された状態で止め輪５７側に移動して、止め輪５７に当接すると、調整軸１９は、それ以上は右回りに回転しないことになる。これにより、調整板１８がガイド板１７の回転体１６に対向する面側に移動し過ぎて、調整板１８とガイド板１７との噛み合いが外れることが防止される。
【００４２】
この制動装置においては、調整板１８による制動力の調整は、例えば図１５、図１６に示すように、調整板１８のほぼ４分の３が回転体１６に対向するように位置させた状態と、調整板１８のほぼ４分の１が回転体１６に対向するように位置させた状態との間で行なわれる。
【００４３】
前記構成によれば、調整軸１９を右回りに回転させることにより、調整板１８を所定方向に回転させることによって、粘性流体を介して回転体１６に対向する調整板１８の領域を増やして、回転体１６に対する粘性流体の粘性抵抗を大きくし、一方、調整軸１９を左回りに回転させて調整板１８を前記所定方向と反対方向に回転させることによって、回転体１６に対向する面と反対側のガイド板１７の面側に移動させることにより、粘性流体を介して回転体１６と対向する調整板１８の領域を減らして、回転体１６に対する粘性流体の粘性抵抗を小さくさせることができ、これにより、引戸１の閉塞動作の制動力を簡単に調整することができる。また、調整板１８およびガイド板１７を粘性流体を介して回転体１６と対向するように設けたので、調整板１８およびガイド板１７が回転体１６と非接触状態になっていて、回転体１６との間には摺動部がないため、精度のよい加工を必要とする摺動部を有する従来の制動装置と比べると、安価なコストで制動力を調整することができる制動装置を得ることができる。しかも、調整板１８を回転させて制動力を調整するようにしたので、従来の制動装置と比べると、薄型化することが可能であって、コンパクトにすることができる。
【００４４】
本実施の形態においては、回転体１６を流体室１２の蓋体１４側に配置し、ガイド板１７および調整板１８を流体室１２の底部２５側に設けたが、これとは逆に、回転体１６を流体室１２の底部２５側に配置し、ガイド板１７および調整板１８を流体室１２の蓋体１４側に設けてもよい。
【００４５】
【発明の効果】
以上述べたように本発明の第１の引戸の制動装置によれば、ガイド板を調整軸によって回転させることにより、粘性流体を介して回転体に対向する調整板の領域を増減させて、回転体に対する粘性流体の粘性抵抗を調整するように構成したので、引戸の閉塞方向への移動動作の制動力を簡単に調整することができる。また、調整板およびガイド板は、粘性流体を介して回転体に対向するように設けたので、調整板およびガイド板が回転体と非接触状態になっていて、回転体との間には摺動部がないため、精度のよい加工を必要とする摺動部を有する従来の制動装置と比べると、安価なコストで制動力を調整することができる制動装置を得ることができる。さらに、調整板およびガイド板が回転体と非接触状態になっているため、回転体の形状には制限がなく、任意形状にすることができる。しかも、ガイド板を回転させて制動力を調整するようにしたので、従来の制動装置と比べると、薄型化することが可能であって、コンパクトにすることができる。
【００４６】
また、本発明の第２の引戸の制動装置によれば、調整板を調整軸によって回転させることにより、粘性流体を介して回転体に対向する調整板の領域を増減させて、回転体に対する粘性流体の粘性抵抗を調整するように構成したので、引戸の閉塞方向への移動動作の制動力を簡単に調整することができる。また、調整板およびガイド板は、粘性流体を介して回転体に対向するように設けたので、調整板およびガイド板が回転体と非接触状態になっていて、回転体との間には摺動部がないため、精度のよい加工を必要とする摺動部を有する従来の制動装置と比べると、安価なコストで制動力を調整することができる制動装置を得ることができる。さらに、調整板およびガイド板が回転体と非接触状態になっているため、回転体の形状には制限がなく、任意形状にすることができる。しかも、調整板を回転させて制動力を調整するようにしたので、従来の制動装置と比べると、薄型化することが可能であって、コンパクトにすることができる。
【図面の簡単な説明】
【図１】  本発明の第１の実施の形態において引戸が開いた状態を示す正面図である。
【図２】  同引戸が閉じた状態を示す正面図である。
【図３】  同引戸における制動装置を示す平面図である。
【図４】  同制動装置のＡ−Ａ線矢視断面図である。
【図５】  同制動装置のＢ−Ｂ線矢視断面図である。
【図６】  同制動装置におけるガイド板と調整板の取付け状態を示す平面図である。
【図７】  同制動装置における要部分解斜視図である。
【図８】  同制動装置における作用説明図である。
【図９】  同制動装置における作用説明図である。
【図１０】  本発明の第２の実施の形態における制動装置を示す平面図である。
【図１１】  同制動装置のＸ−Ｘ線矢視断面図である。
【図１２】  同制動装置のＹ−Ｙ線矢視断面図である。
【図１３】  同制動装置におけるガイド板の取付け状態を示す平面図である。
【図１４】  同制動装置における要部分解斜視図である。
【図１５】  同制動装置における作用説明図である。
【図１６】  同制動装置における作用説明図である。
【図１７】  従来の制動装置を示す断面図である。
【符号の説明】
１      引戸
２      出入り口部
３      レール
４      ローラ
５      ハンガー
６      自閉装置
７      制動装置本体
８      ブラケット
１１    制動用ラック
１２    流体室
１３    ケース本体
１４    蓋体
１５    軸体
１５ａ  突出部
１６    回転体
１７    ガイド板
１８    調整板
１９    調整軸
２０    歯車
２２    一方クラッチ
２７    切欠部
２８    ガイド孔
３３    スリット部
３６、３７    係止ピン
５２    調整軸取付け部
５４    摩擦体
【図１】
0003698706.tif 000002
【図２】
0003698706.tif 000003
【図３】
0003698706.tif 000004
【図４】
0003698706.tif 000005
【図５】
0003698706.tif 000006
【図６】
0003698706.tif 000007
【図７】
0003698706.tif 000008
【図８】
0003698706.tif 000009
【図９】
0003698706.tif 000010
【図１０】
0003698706.tif 000011
【図１１】
0003698706.tif 000012
【図１２】
0003698706.tif 000013
【図１３】
0003698706.tif 000014
【図１４】
0003698706.tif 000015
【図１５】
0003698706.tif 000016
【図１６】
0003698706.tif 000017
【図１７】
0003698706.tif 000018